(57)【特許請求の範囲】
【請求項１】
建物の屋根面又は外壁面から離間されて設けられるとともに、太陽光が照射されることにより発電を行う太陽光パネルを冷却する太陽光パネル冷却装置であって、
前記太陽光パネルに対して霧状の水を噴霧する噴霧手段を備え、
前記噴霧手段は、前記太陽光パネルの裏面に対して霧状の水を噴霧することを特徴とする太陽光パネル冷却装置。
【請求項２】
建物において軒先に向かって下方傾斜する屋根上に設置されているとともに、太陽光が照射されることにより発電を行う太陽光パネルを冷却する太陽光パネル冷却装置であって、
前記太陽光パネルに対して霧状の水を噴霧する噴霧手段を備え、
前記噴霧手段は、前記太陽光パネルの軒先側から前記太陽光パネルに対し霧状の水を噴霧することを特徴とする太陽光パネル冷却装置。
【請求項３】
前記太陽光パネルの温度を検知するパネル温検知手段と、
前記パネル温検知手段により検知された前記太陽光パネルの温度が所定温度以上になった場合に、前記噴霧手段による水の噴霧を実施する噴霧制御手段と、
を備えることを特徴とする請求項１又は２に記載の太陽光パネル冷却装置。
【請求項４】
前記太陽光パネルの温度を検知するパネル温検知手段と、
前記噴霧手段から噴霧される水の粒径を調整する粒径調整手段と、
前記パネル温検知手段により検知された前記太陽光パネルの温度に基づいて前記水の粒径を調整するよう前記粒径調整手段を制御する粒径制御手段と、
を備えることを特徴とする請求項１乃至３のいずれか一項に記載の太陽光パネル冷却装置。
【請求項５】
前記太陽光パネル周辺を流れる風の状況を検知する風状況検知手段と、
前記噴霧手段から噴霧される水の粒径を調整する粒径調整手段と、
前記風状況検知手段により検知された風の状況に基づいて前記水の粒径を調整するよう前記粒径調整手段を制御する粒径制御手段と、
を備えることを特徴とする請求項１乃至４のいずれか一項に記載の太陽光パネル冷却装置。
【請求項６】
前記噴霧手段による水の噴霧範囲を変更する変更手段を備えることを特徴とする請求項１乃至５のいずれか一項に記載の太陽光パネル冷却装置。
【請求項７】
前記噴霧手段は、前記太陽光パネルの表面に霧状の水を噴霧するものであり、
前記噴霧手段の噴出部の上方には、前記噴霧手段より噴霧された水が上方に飛散するのを規制する規制部材が設けられていることを特徴とする請求項１乃至６のいずれか一項に記載の太陽光パネル冷却装置。
【請求項８】
前記太陽光パネルは、該太陽光パネルの熱を放出させる放熱部材を有し、
前記噴霧手段は、前記放熱部材に対して霧状の水を噴霧することを特徴とする請求項１乃至７のいずれか一項に記載の太陽光パネル冷却装置。
【発明の詳細な説明】
【技術分野】
【０００１】
本発明は、太陽光が照射されることにより発電を行う太陽光パネルを冷却する太陽光パネル冷却装置に関する。
【背景技術】
【０００２】
近年、省エネルギ等の観点から、住宅等の建物では太陽光発電システムの導入が進められている。かかる発電システムでは、建物の屋根等に設置された太陽光パネルに太陽光が照射されることにより発電が行われる。
【０００３】
この種の太陽光パネルは、一般にその温度が上昇すると発電効率が低下する性質を有している。そのため、日射量の多い季節、特に夏季においては昼間に太陽光パネルの温度が著しく上昇し、その結果発電効率が著しく低下する問題がある。そこで、その対策として、従来より太陽光パネルを冷却する技術が種々提案されている。例えば特許文献１には、屋根に設けられた太陽光パネルの表面に水を滴下して、その滴下した水が太陽光パネルの有する熱により気化されることで太陽光パネルを冷却する技術が開示されている。これによれば、太陽光パネルを水の気化熱により冷却することができるため、太陽光パネルの表面上に水を流すことによって同パネルを水冷する場合（すなわち水冷式）と比べ少ない水量で太陽光パネルを冷却することができる。
【先行技術文献】
【特許文献】
【０００４】
【特許文献１】特開２００４−２５９７９７号公報
【発明の概要】
【発明が解決しようとする課題】
【０００５】
ところで、上記特許文献１の技術では、太陽光パネルの温度が比較的低温の場合、例えば公称最大出力が得られる温度である基準温度（例えば２５℃）よりも数度から１０数度程度だけ高い場合には、太陽光パネルの表面上に滴下された水が速やかに気化されずにパネル表面上に残ることが考えられる。この場合、太陽光パネルを十分に冷却することができず、その結果太陽光パネルの発電効率の低下を抑制することができない事態が生じうる。
【０００６】
また、太陽光パネルの表面上に滴下された水滴が気化されないまま太陽光パネルの表面上に残った場合には、その残った水滴により太陽光の乱反射が生じ、太陽光パネルに吸収される太陽光の量が減少するおそれがある。したがって、この場合には、太陽光パネルの発電効率の低下を抑制できないだけでなく、発電効率をより低下させるおそれがある。
【０００７】
なお、かかる問題は、屋根に設置された太陽光パネルにのみ生じうる問題ではなく、建物の屋外側におけるその他の箇所、例えば外壁に設置された太陽光パネルにおいても同様に生じうる問題である。
【０００８】
本発明は、上記事情に鑑みてなされたものであり、太陽光パネルの発電効率の低下をより確実に抑制することができる太陽光パネル冷却装置を提供することを主たる目的とするものである。
【課題を解決するための手段】
【０００９】
上記課題を解決すべく、第１の発明の太陽光パネル冷却装置は、太陽光が照射されることにより発電を行う太陽光パネルを冷却する太陽光パネル冷却装置であって、前記太陽光パネルに対して霧状の水を噴霧する噴霧手段を備えることを特徴とする。
【００１０】
本発明によれば、太陽光パネルに対して噴霧手段により霧状の水が噴霧されるため、太陽光パネルには霧状の水が付着する。ここで、太陽光パネルに付着した霧状の水は太陽光パネルが有する熱により速やかに気化されて、その気化熱により太陽光パネルが速やかに冷却される。したがって、この場合太陽光パネルの冷却効率を高めることができるため、太陽光パネルの発電効率の低下をより確実に抑制することができる。
【００１１】
また、噴霧手段より噴霧した水が太陽光パネルの表面に付着しても付着した水は速やかに気化されるため同表面上に水滴が残りにくくすることができる。したがって、その残った水滴により太陽光の乱反射を招き太陽光パネルへ吸収される太陽光の量が低減される不都合を抑制することができ、その結果太陽光パネルの発電効率の低下を抑制することができる。
【００１２】
第２の発明の太陽光パネル冷却装置は、第１の発明において、前記太陽光パネルの温度を検知するパネル温検知手段と、前記パネル温検知手段により検知された前記太陽光パネルの温度が所定温度以上になった場合に、前記噴霧手段による水の噴霧を実施する噴霧制御手段と、を備えることを特徴とする。
【００１３】
本発明によれば、太陽光パネルの温度が所定温度以上になった場合に、噴霧手段により太陽光パネルに対して水の噴霧が自動で行われるため、太陽光パネルを冷却するにあたって利便性を高めることができる。
【００１４】
第３の発明の太陽光パネル冷却装置は、第１又は第２の発明において、前記太陽光パネルの温度を検知するパネル温検知手段と、前記噴霧手段から噴霧される水の粒径を調整する粒径調整手段と、前記パネル温検知手段により検知された前記太陽光パネルの温度に基づいて前記水の粒径を調整するよう前記粒径調整手段を制御する粒径制御手段と、を備えることを特徴とする。
【００１５】
本発明によれば、太陽光パネルの温度に応じて噴霧手段より噴霧される水の粒径を調整することができる。したがって、例えば太陽光パネルの温度が比較的低い場合には、つまり太陽光パネルにおいて水を気化させにくい場合には、噴霧手段より噴霧される水の粒径を小さくすることで気化を促進させることができる。また、太陽光パネルの温度が比較的高い場合には、水の粒径を大きくすることで水の気化量を増大させ気化を促進させることができる。これにより、太陽光パネルの温度に応じた気化の促進を図ることができる。
【００１６】
第４の発明の太陽光パネル冷却装置は、第１乃至第３のいずれかの発明において、前記太陽光パネル周辺を流れる風の状況を検知する風状況検知手段と、前記噴霧手段から噴霧される水の粒径を調整する粒径調整手段と、前記風状況検知手段により検知された風の状況に基づいて前記水の粒径を調整するよう前記粒径調整手段を制御する粒径制御手段と、を備えることを特徴とする。
【００１７】
太陽光パネル周辺で吹く風の状況によっては、噴霧手段より噴霧された水が風に飛ばされて太陽光パネルに到達しないおそれがある。そこで、本発明では、その点に鑑みて、太陽光パネル周辺を流れる風の状況に応じて噴霧手段から噴霧される水の粒径を調整することとしている。ここで、風の状況としては、例えば風向きや風量などが考えられる。これにより、例えば噴霧手段が風下側に位置する場合や風量が大きい場合でも噴霧手段より噴霧される水の粒径を大きくすることで、噴霧された水を風に抗して太陽光パネルに到達させることが可能となる。
【００１８】
第５の発明の太陽光パネル冷却装置は、第１乃至第４のいずれかの発明において、前記噴霧手段による水の噴霧範囲を変更する変更手段を備えることを特徴とする。
【００１９】
本発明によれば、噴霧手段による水の噴霧範囲を変更することができるため、例えば風の状況に応じて水の噴霧範囲を変更することで、風の状況にかかわらず太陽光パネルを冷却することが可能となる。なお、変更手段の構成としては、噴霧手段を太陽光パネルの端縁に沿って移動可能とする構成や噴霧手段を首振り可能とする構成等が挙げられる。
【００２０】
第６の発明の太陽光パネル冷却装置は、第１乃至第５のいずれかの発明において、建物に設けられた太陽光パネルに適用され、前記太陽光パネルは、建物の屋根面又は外壁面から離間されて設けられており、前記噴霧手段は、前記太陽光パネルの裏面に対して霧状の水を噴霧することを特徴とする。
【００２１】
本発明によれば、噴霧手段により太陽光パネルの裏面に霧状の水が噴霧されるため、噴霧した水が上方に飛散するのを太陽光パネルにより抑制することができる。これにより、噴霧した水を太陽光パネルにより確実に付着させ気化させることができるため、太陽光パネルの冷却効率を高めることができる。
【００２２】
第７の発明の太陽光パネル冷却装置は、第１乃至第６のいずれかの発明において、建物に設けられた太陽光パネルに適用され、前記太陽光パネルは、軒先に向かって下方傾斜する屋根上に設置されており、前記噴霧手段は、前記太陽光パネルの軒先側から前記太陽光パネルに対し霧状の水を噴霧することを特徴とする。
【００２３】
一般に、切妻屋根や寄棟屋根等、軒先に向かって下方傾斜する屋根においては、晴天時において太陽光パネルの温度が上昇する場合に、屋根上を軒先側から棟側へ向かって上昇気流が流れることが考えられる。そこで、本発明では、この点に着目し、太陽光パネルよりも軒先側に噴霧手段を設け、その噴霧手段により太陽光パネルの軒先側から同パネルに霧状の水を噴霧することとしている。この場合、噴霧手段より噴霧された霧状の水を上昇気流に乗せて太陽光パネル側に飛来させることができるため、太陽光パネルに霧状の水を付着させるに際して都合がよい。
【００２４】
第８の発明の太陽光パネル冷却装置は、第１乃至第７のいずれかの発明において、前記噴霧手段は、前記太陽光パネルの表面に霧状の水を噴霧するものであり、前記噴霧手段の噴出部の上方には、前記噴霧手段より噴霧された水が上方に飛散するのを規制する規制部材が設けられていることを特徴とする。
【００２５】
噴霧手段により太陽光パネルの表面に水を噴霧する場合には、噴霧した水が風等の影響で上方に飛散することが考えられる。そこで、本発明ではこの点に鑑みて、噴霧手段の上方に、噴霧された水が上方に飛散するのを規制する規制部材を設けることとしている。これにより、太陽光パネルの表面に水を噴霧する場合において噴霧した水をより確実に太陽光パネルの表面に付着させ気化させることができるため、太陽光パネルの冷却効果を高めることができる。
【００２６】
第９の発明の太陽光パネル冷却装置は、第１乃至第８のいずれかの発明において、前記太陽光パネルは、該太陽光パネルの熱を放出させる放熱部材を有し、前記噴霧手段は、前記放熱部材に対して霧状の水を噴霧することを特徴とする。
【００２７】
本発明によれば、噴霧手段により放熱部材に霧状の水が噴霧されるため、霧状の水が放熱部材に付着し気化される。この場合、水の気化熱により放熱部材が冷却されて、その結果太陽光パネルを冷却することができる。これにより、太陽光パネルの冷却を促進させることが可能となる。
【図面の簡単な説明】
【００２８】
【図１】太陽光パネル冷却装置が設置された建物の全体を示す斜視図。
【図２】太陽光パネル周辺の側面図。
【図３】別例における噴霧ノズルの配置状態を示す斜視図。
【図４】移動可能な噴霧ノズルを示す平面図。
【図５】首振り可能な噴霧ノズルを示す平面図。
【図６】太陽光パネルの表面に噴霧した場合を示す側面図。
【図７】太陽光パネルの表裏に噴霧可能な噴霧ノズルを示す側面図。
【図８】放熱板が設けられた太陽光パネルを示す側面図。
【発明を実施するための形態】
【００２９】
以下に、本発明を具体化した一実施の形態について図面を参照しつつ説明する。なお、図１は太陽光パネル冷却装置が設置された建物の全体を示す斜視図であり、図２は太陽光パネル周辺の側面図である。
【００３０】
図１に示すように、本実施形態の建物１０は、建物本体１１と、建物本体１１の上方に配設された屋根１２とを備えており、屋根１２は切妻式の屋根となっている。屋根１２には、太陽光が照射されることにより発電を行う太陽光パネル１５が設けられている。太陽光パネル１５は、図２に示すように、脚部１６を介して屋根１２に設置されており、それ故太陽光パネル１５の裏面と屋根面１８とが離間されている。また、太陽光パネル１５は、そのパネル面が屋根面１８と略平行となるように設けられている。
【００３１】
図１の説明に戻り、太陽光パネル１５には、パネル温検知手段としてのパネル温検知センサ１７が設けられている。パネル温検知センサ１７は、太陽光パネル１５の表面温度を検知するものであり、例えば太陽光パネル１５の表面に設けられている。
【００３２】
建物１０には、太陽光パネル１５を冷却するための太陽光パネル冷却装置２０が設けられている。太陽光パネル１５は、その温度が高くなると発電効率が低下する性質を有しており、特に夏場においては著しく低下する。そのため、本実施形態では太陽光パネル冷却装置２０により太陽光パネル１５を冷却することとしている。本実施形態はこの太陽光パネル冷却装置２０の構成に特徴を有しており、以下、その詳細について説明する。
【００３３】
図１に示すように、太陽光パネル冷却装置２０は、噴霧手段として、噴霧ノズル２１と水供給配管２２と開閉バルブ２３とエア供給配管２４とコンプレッサ２５とを備えている。
【００３４】
噴霧ノズル２１は、太陽光パネル１５に対して霧状の水を噴霧するものである。噴霧ノズル２１は、二流体ノズルにより構成されており、同ノズル２１に供給された水と圧縮空気とを同ノズル２１内で混合させることにより霧状の水を生成し噴霧する。より詳細には、噴霧ノズル２１は、供給された圧縮空気の空気圧に応じた粒径の水を生成し噴出する。噴霧ノズル２１は、屋根１２上において太陽光パネル１５よりも軒先１３側に複数（図１では３つ）設けられており、これら各噴霧ノズル２１は太陽光パネル１５の軒先１３側の端縁に沿って所定間隔で配置されている。
【００３５】
噴霧ノズル２１の先端部には１又は複数の噴出口２１ａが形成されている。この噴出口２１ａは、開口部の縦横寸法が相違する扁平状をなしている。噴霧ノズル２１は、噴出口２１ａの開口部の延びる向きが太陽光パネル１５のパネル面と平行となるように設置されている。これにより、噴霧ノズル２１により扁平状でかつパネル面に沿って拡がる噴霧流が形成される。また、噴出口２１ａを扁平状とする構成に代えて、例えば円形状の噴出口２１ａを横並びに複数配置することで扁平状の噴霧流を形成してもよい。この場合、噴霧ノズル２１は、各噴出口２１ａの並び方向が太陽光パネル１５のパネル面と平行となるように設置される。
【００３６】
図２に示すように、本噴霧ノズル２１は、太陽光パネル１５よりも軒先１３側から太陽光パネル１５の裏面に対し水を噴霧するようになっている。噴霧ノズル２１は、太陽光パネル１５よりも軒先１３側において、水が噴出される噴出口２１ａを屋根１２の棟１４側に向けて設けられている。また、噴霧ノズル２１の噴出口２１ａは、屋根面１８に直交する方向において太陽光パネル１５（詳細にはその裏面）と屋根面１８との中間位置に配置されている。そのため、噴霧ノズル２１より霧状の水が太陽光パネル１５の裏面に沿って（換言すると同パネル１５と屋根面１８との間を通って）棟１４側に噴出されるようになっており、これにより太陽光パネル１５の裏面に水が噴霧されるようになっている。
【００３７】
各噴霧ノズル２１には、各々の噴霧ノズル２１に水を供給する水供給配管２２が接続されている。水供給配管２２は、建物１０の水廻り設備に水を供給するための水道配管から分岐して設けられており、建物本体１１の外壁面に沿って屋根１２上の各噴霧ノズル２１まで導かれている。
【００３８】
水供給配管２２には、同水供給配管２２内を流れる水の流通を許可又は禁止する開閉バルブ２３が設けられている。開閉バルブ２３は、電気的な操作により開閉動作を行うものである。
【００３９】
各噴霧ノズル２１には、各々の噴霧ノズル２１に圧縮空気を供給するエア供給配管２４が接続されている。なお、図１では、便宜上、エア供給配管２４を水供給配管２２と一部共通の線で図示しているが、エア供給配管２４は水供給配管２２と合流することなく各噴霧ノズル２１まで導かれている。
【００４０】
エア供給配管２４には、圧縮空気を生成するコンプレッサ２５が設けられている。コンプレッサ２５が作動すると、圧縮空気が生成されて同圧縮空気がエア供給配管２４を通じて噴霧ノズル２１に供給される。また、本実施形態のコンプレッサ２５は、圧縮空気の空気圧が調整可能とされており、空気圧が調整されることで噴霧ノズル２１から噴出される水の粒径（霧の細かさ）を１〜１００μｍの範囲内で調整できるようになっている。具体的には、圧縮空気の空気圧が高いほど水の粒径が小さくなるように調整される。
【００４１】
次に、上記構成の太陽光パネル冷却装置２０の作用について説明する。
【００４２】
開閉バルブ２３が開状態とされるとともにコンプレッサ２５が駆動されると、噴霧ノズル２１には水供給配管２２を通じて水が供給されるとともにエア供給配管２４を通じて圧縮空気が供給される。これにより、噴霧ノズル２１では水と圧縮空気とが混合されることにより霧状の水が生成され、その霧状の水が噴霧ノズル２１より太陽光パネル１５の裏面に噴霧される。噴霧された水は太陽光パネル１５の裏面に付着し同裏面において太陽光パネル１５の有する熱により速やかに気化され、その気化熱により太陽光パネル１５が冷却される。
【００４３】
一方、開閉バルブ２３が閉状態とされるとともにコンプレッサ２５の駆動が停止されると、噴霧ノズル２１への水及び圧縮空気の供給が停止される。これにより、噴霧ノズル２１による太陽光パネル１５への水の噴霧が停止される。
【００４４】
次に、太陽光パネル冷却装置２０の電気的構成について説明する。
【００４５】
建物１０には、制御手段としてのコントローラ３０が設けられている。コントローラ３０は、ＣＰＵ等を有する周知のマイクロコンピュータを主体に構成されており、例えば建物本体１１の外壁面に設けられている。
【００４６】
コントローラ３０の入力側には、パネル温検知センサ１７が接続されている。コントローラ３０には、パネル温検知センサ１７から逐次検知結果が入力される。
【００４７】
コントローラ３０の出力側には、コンプレッサ２５及び開閉バルブ２３が接続されている。コントローラ３０は、パネル温検知センサ１７からの検知結果に基づいて、コンプレッサ２５及び開閉バルブ２３に指令信号を出力する。
【００４８】
次に、パネル温の検知結果に基づくコントローラ３０による制御の概略について説明する。コントローラ３０は、パネル温検知センサ１７の検知結果に基づいて噴霧処理を実行する噴霧処理機能と、パネル温検知センサ１７の検知結果に基づいて噴霧される水の粒径を調整する粒径調整機能とを備えている。
【００４９】
まず、噴霧処理機能による制御の概略を説明する。コントローラ３０は、パネル温検知センサ１７から入力された検知結果に基づいて、太陽光パネル１５の表面温度が所定温度Ｔ１以上であるか否かを判定する。ここで、所定温度Ｔ１は例えば公称最大出力である基準温度に設定されている。なお、本実施形態では基準温度が２０℃となっている。コントローラ３０は、太陽光パネル１５の表面温度が所定温度Ｔ１以上であると判定した場合には、開閉バルブ２３に開放信号を出力するとともにコンプレッサ２５に駆動信号を出力する。この場合、開閉バルブ２３が開動作することで水が水供給配管２２を通じて噴霧ノズル２１に供給されるとともに、コンプレッサ２５が駆動して圧縮空気がエア供給配管２４を通じて噴霧ノズル２１に供給される。これにより、噴霧ノズル２１による太陽光パネル１５への噴霧が実行される。なお、すでに噴霧ノズル２１による噴霧が実行されている場合にはそのまま噴霧を継続する。
【００５０】
一方、コントローラ３０は、太陽光パネル１５の表面温度が所定温度Ｔ１以上でないと判定した場合には、開閉バルブ２３に閉鎖信号を出力するするとともにコンプレッサ２５に対する駆動信号の出力を停止する。この場合、開閉バルブ２３が閉状態となることで噴霧ノズル２１への水の供給が停止されるとともに、コンプレッサ２５が駆動を停止することにより噴霧ノズル２１への圧縮空気の供給が停止される。これにより、噴霧ノズル２１による太陽光パネル１５への噴霧が停止する。なお、すでに噴霧ノズル２１による噴霧が停止している場合にはその停止状態を継続する。
【００５１】
なお、上記制御では、噴霧が開始される太陽光パネル１５の表面温度（以下、開始温度という）と噴霧が停止される太陽光パネル１５の表面温度（以下、停止温度という）とを同じ温度（所定温度である２０℃）としたが、これらの温度は必ずしも同じである必要はなく、両温度にヒステリシスを持たせてもよい。具体的には例えば、停止温度を開始温度よりも低い温度（１８℃など）に設定することが考えられる。
【００５２】
次に、粒径調整機能による制御の概略を説明する。噴霧ノズル２１による噴霧の実行中において、コントローラ３０は、パネル温検知センサ１７から入力された検知結果に基づいて、コンプレッサ２５に出力する駆動信号を調整し、これによりコンプレッサ２５より噴霧ノズル２１に供給される圧縮空気の空気圧を調整する。具体的には、パネル温検知センサ１７により検知された太陽光パネル１５の表面温度が高いほど、圧縮空気の空気圧を低くするように、つまりは噴霧ノズル２１より噴霧される水の粒径が大きくなるように調整する。これにより、太陽光パネル１５の表面温度が低い場合には、噴霧ノズル２１より噴霧される水の粒径が小さくなるため、気化を促進させることができる。一方、太陽光パネル１５の表面温度が高い場合には、噴霧ノズル２１より噴霧される水の粒径が大きくなるため、水の気化量を増大させ太陽光パネル１５の冷却効率を高めることができる。
【００５３】
以上、詳述した本実施形態の構成によれば、以下の優れた効果が得られる。
【００５４】
建物１０の屋根１２に、太陽光パネル１５に対して霧状の水を噴霧する噴霧ノズル２１を設けた。この場合、噴霧ノズル２１より噴霧された霧状の水は太陽光パネル１５に付着して太陽光パネル１５の有する熱により速やかに気化され、その気化熱により太陽光パネル１５が速やかに冷却される。したがって、この場合太陽光パネル１５の冷却効率を高めることができるため、太陽光パネル１５の発電効率の低下をより確実に抑制することができる。
【００５５】
屋根面１８に対して離間して設けられた太陽光パネル１５の裏面に対し、噴霧ノズル２１により霧状の水を噴霧する構成とした。この場合、噴霧した水が上方に飛散するのを抑制することができるため、噴霧した水を太陽光パネル１５により確実に付着させ気化させることができる。これにより、太陽光パネル１５の冷却効率を高めることができる。また、この場合、太陽光パネル１５の表面に水が付着するのをより確実に抑制することができるため、同表面に付着した水により太陽光の乱反射を招き太陽光パネル１５の発電効率が低下するのをより確実に抑制することができる。
【００５６】
また、仮に噴霧ノズル２１より噴霧した水が太陽光パネル１５の表面に付着したとしても付着した水は速やかに気化されるため同表面上に水滴が残りにくくすることができる。したがって、その残った水滴により太陽光の乱反射を招き太陽光パネル１５へ吸収される太陽光の量が低減される不都合を抑制することができ、ひいては太陽光パネル１５の発電効率の低下を抑制することができる。
【００５７】
傾斜した屋根面１８に設置された太陽光パネル１５に対して、同パネル１５の軒先１３側から霧状の水を噴霧ノズル２１により噴霧する構成とした。この場合、噴霧ノズル２１より噴霧された霧状の水を、軒先１３側から棟１４側に向かって屋根１２上を流れる上昇気流に乗せて太陽光パネル１５側に飛来させることができるため、太陽光パネル１５に霧状の水を付着させるに際し都合がよい。
【００５８】
太陽光パネル１５の表面温度を検知するパネル温検知センサ１７を設け、同センサ１７により検知された太陽光パネル１５の表面温度に基づいて噴霧ノズル２１から噴霧される水の粒径を調整することとした。具体的には、太陽光パネル１５の表面温度が高いほど水の粒径が大きくなるように調整することとした。これにより、太陽光パネル１５の表面温度が比較的低い場合には、つまり太陽光パネル１５において水を気化させにくい場合には水の粒径を小さくすることで気化を促進させることができ、また太陽光パネル１５の表面温度が比較的高い場合には水の粒径を大きくすることで気化量を増大させ気化を促進させることができる。よって、この場合太陽光パネル１５の表面温度に応じた気化の促進を図ることができる。
【００５９】
太陽光パネル１５の表面温度を検知するパネル温検知センサ１７を設け、同センサ１７により検知された太陽光パネル１５の表面温度が所定温度Ｔ１以上になった場合に、噴霧ノズル２１による水の噴霧を停止するようにした。これにより、太陽光パネル１５の表面温度が所定温度Ｔ１以上になった場合に、噴霧ノズル２１による水の噴霧が自動で開始されるため、太陽光パネル１５を冷却するにあたって利便性を高めることができる。
【００６０】
本発明は上記実施形態に限らず、例えば次のように実施されてもよい。
【００６１】
（１）上記実施形態では、太陽光パネル１５よりも軒先１３側から棟１４側（の太陽光パネル１５）に向けて噴霧ノズル２１により水を噴霧する構成とした。つまり、上記実施形態では、太陽光パネル１５に対し一方向から水を噴霧する構成としたが、これを変更し、複数の方向から水を噴霧する構成としてもよい。例えば、図３に示すように、太陽光パネル１５の周囲に同パネル１５の各辺にそれぞれ対応させて（すなわち太陽光パネル１５の四方に）噴霧ノズル２１を配置し、それら太陽光パネル１５の四方に配置された各噴霧ノズル２１により太陽光パネル１５に水を噴霧してもよい。この場合、太陽光パネル１５に対して四方向から水が噴霧される。具体的には、図３では、屋根１２の傾斜方向における太陽光パネル１５を挟んだ両側にそれぞれ噴霧ノズル２１が３つずつ設けられ、屋根１２の幅方向（軒先１３の延びる方向）における太陽光パネル１５を挟んだ両側にそれぞれ噴霧ノズル２１が２つずつ設けられている。
【００６２】
水供給配管３１は、開閉バルブ２３の上流側で４方に分岐されており、それら各分岐された分岐水配管３２がそれぞれ太陽光パネル１５の四方に設けられた各噴霧ノズル２１に接続されている。また、エア供給配管３３についても途中で４方に分岐されて、分岐された各分岐エア配管３４が太陽光パネル１５の４方の各噴霧ノズル２１に接続されている。なお、図３では、便宜上、各分岐エア配管３４を各分岐水配管３２と共通の線で図示しているが、各分岐エア配管３４は分岐水配管３２と合流することなく各噴霧ノズル２１まで導かれている。
【００６３】
上記構成によれば、太陽光パネル１５の四方の各噴霧ノズル２１に水供給配管３１及び分岐水配管３２を通じて水を供給できるとともに、エア供給配管３３及び分岐エア配管３４を通じて圧縮空気を供給できるため、太陽光パネル１５の四方から同時に同パネル１５に対し霧状の水を噴霧することができる。これにより、太陽光パネル１５周辺に風が吹いている場合でも、４方向に噴霧された水のうち少なくともいずれかについては（例えば風向と同じ向きに噴霧された水については）太陽光パネル１５に到達させることができる。そのため、より確実に太陽光パネル１５の発電効率の低下を抑制することができる。
【００６４】
（２）上記（１）の構成において、建物１０に太陽光パネル１５周辺における風の向きを検知する風向検知センサ３５を設け、コントローラが、風向検知センサ３５により検知された風の向きに基づいて太陽光パネル１５に噴霧を行う噴霧ノズル２１を切り替えるよう制御してもよい。例えば、風向検知センサ３５の検知結果に基づいて、太陽光パネル１５に対して風上の側に設けられた噴霧ノズル２１により噴霧を行うよう制御することが考えられる。具体的には、水供給配管３１と各分岐水配管３２との接続部に、水供給配管３１に接続（連通）させる分岐水配管３２をいずれかに切り替える水切替バルブ（図示略）を設けるとともに、エア供給配管３３と各分岐エア配管３４との接続部に、エア供給配管３３に接続させる分岐エア配管３４をいずれかに切り替えるエア切替バルブ（図示略）を設ける。そして、風向検知センサ３５の検知結果に基づいて、太陽光パネル１５に対し風上側に設けられた噴霧ノズル２１より水の噴霧を実施するよう水切替バルブ及びエア切替バルブを制御する。この場合、噴霧ノズル２１より噴霧された水を風に乗せて太陽光パネル１５の広域（略全域）に飛来させることができるため、太陽光パネル１５周りに風が吹いている場合でも霧状の水による太陽光パネル１５の冷却効果を高めることができる。
【００６５】
（３）上記実施形態では、太陽光パネル１５よりも軒先１３側から（換言すれば太陽光パネル１５の端縁側から）太陽光パネル１５のパネル面（詳細には裏面）に沿って噴霧ノズル２１より水を噴霧したが、これを変更し、太陽光パネル１５の上方又は下方から太陽光パネル１５のパネル面に向けて噴霧してもよい。要は、太陽光パネル１５に水を噴霧することができれば、如何なる態様で噴霧してもよい。
【００６６】
（４）噴霧ノズル２１による水の噴霧範囲を変更可能に構成してもよい。例えば、噴霧ノズル２１を太陽光パネル１５の端縁に沿って移動可能に構成することで、太陽光パネル１５に対する水の噴霧範囲を変更することが考えられる。その具体例を図４に示す。図４（ａ）に示すように、噴霧ノズル２１は、太陽光パネル１５の軒先１３側の端縁に沿って移動可能に設けられている。屋根１２上には、太陽光パネル１５よりも軒先１３側において同パネル１５の（軒先１３側の）端縁に沿って延びるようにレール４１が設けられている。レール４１は、太陽光パネル１５の軒先１３側の端縁長さとほぼ同じ長さを有している。噴霧ノズル２１は、このレール４１に設けられており、同レール４１に沿って移動可能とされている。
【００６７】
図４（ｂ）に示すように、噴霧ノズル２１は、その下部に回転可能な車輪等の回転体４５を有しており、その回転体４５がレール４１に配設されることによりレール４１に設けられている。噴霧ノズル２１には、回転体４５を回転させるためのモータ４６が設けられている。モータ４６は、周知の電動式モータにより構成されている。モータ４６が駆動されると、回転体４５がいずれかの側に回転し、それに伴い噴霧ノズル２１がレール４１に沿っていずれかの側に移動する。また、モータ４６は、コントローラ３０により駆動制御される。コントローラ３０は、噴霧ノズル２１がレール４１に沿って往復移動するようモータ４６を駆動制御する。
【００６８】
上記構成によれば、噴霧ノズル２１がレール４１に沿って移動することで、1つの噴霧ノズル２１により太陽光パネル１５全体に水を噴霧できるため、噴霧ノズル２１の個数増加に伴うコストの抑制を図ることができる。特に、噴霧ノズル２１を数多く必要とする大型の太陽光パネルの場合に大きな効果を得ることが期待できる。
【００６９】
なお、太陽光パネル１５の冷却を実施する場合には、噴霧位置を移動しながら噴霧を実行するとよい。また、風向きに応じて噴霧範囲を変更してもよい。
【００７０】
また、噴霧ノズル２１により水を噴霧する向きを変更可能に構成することで、太陽光パネル１５に対する水の噴霧範囲を変更してもよい。この場合、例えば噴霧ノズルを首振り動作可能に構成することで、噴霧ノズルにより水を噴霧する向きを変更可能とすることが考えられる。その例を図５に示す。図５に示す噴霧ノズル２１は、太陽光パネル１５の軒先１３側において、同パネル１５の幅方向における略中央に設けられている。噴霧ノズル２１は、回転可能な回転ステージ（図示略）により支持されている。回転ステージは、屋根面１８に対して直交する回転軸（図示略）を有し、その回転軸を中心として回転可能とされている。回転軸にはモータ５３が連結されており、モータ５３が駆動されることにより回転ステージが回転し、ひいては噴霧ノズル２１が回転する構成となっている。モータ５３は、コントローラ３０により駆動制御される。コントローラ３０は、噴霧ノズル２１が首振り動作するように回転ステージを回転させるべくモータ５３を駆動制御する。具体的には、噴霧ノズル２１の噴出口２１ａが太陽光パネル１５における幅方向（傾斜方向と直交する方向）一端部を向く位置と他端部を向く位置との間で噴霧ノズル２１が首振り動作される。この場合、噴霧ノズル２１を首振り動作させることで太陽光パネル１５全体に水を噴霧することができるため、噴霧ノズル２１を移動可能にした上記構成（図４）と同様、噴霧ノズル２１の個数増加に伴うコストの抑制を図ることができる。
【００７１】
なお、太陽光パネル１５の冷却を実施する場合には、噴霧ノズル２１を首振りさせながら噴霧を実行するとよい。また、風向きに応じて噴霧範囲を変更してもよい。
【００７２】
（５）上記実施形態では、噴霧ノズル２１により太陽光パネル１５の裏面に対して水を噴霧する構成としたが、これを変更して、図６に示すように太陽光パネル１５の表面に対して水を噴霧するようにしてもよい。この場合、噴霧ノズル６０より噴霧された霧状の水が上方に飛散するのを規制する規制部材を設けるのが望ましい。具体的には図６に示すように、規制部材６１は、例えば金属製の板材により形成されており、屋根面１８に固定された固定板部６１ａと、固定板部６１ａの軒先１３側端部から上方に折り曲げ形成された起立板部６１ｂと、起立板部６１ｂの上端部から屋根１２の傾斜方向における棟１４側に折り曲げ形成された規制板部６１ｃとを有している。規制板部６１ｃは、噴霧ノズル６０の上方と太陽光パネル１５の上方とに跨がるように設けられている。この場合、噴霧ノズル６０より噴霧された水が風により上方に飛散するのを規制することができるため、太陽光パネル１５の表面に水を噴霧する場合により確実に噴霧した水を同表面に付着させ気化させることができる。よって、太陽光パネル１５の冷却効率を高めることができる。
【００７３】
また、太陽光パネル１５の表面に水を噴霧する場合においても、噴霧ノズル２１による水の噴霧範囲を変更可能とする上記（４）の構成を適用することができる。
【００７４】
（６）噴霧ノズル２１により水が噴霧される太陽光パネル１５のパネル面を表裏切替可能としてもよい。その具体例を図７に示す。図７に示すように、屋根１２上には、円筒状に形成されたノズル支持部材６５が設けられている。ノズル支持部材６５には、一対の噴霧ノズル６６が上下に並んで設けられている。これら一対の各噴霧ノズル６６のうち上側に設けられた噴霧ノズル６６Ａは、太陽光パネル１５の表面に対して霧状の水を噴霧するものであり、下側に設けられた噴霧ノズル６６Ｂは太陽光パネル１５の裏面に対して霧状の水を噴霧するものである。水供給配管６７の上流側端部は２方に分岐されており、これら各分岐された分岐水配管６８はそれぞれ各噴霧ノズル６６Ａ，６６Ｂに接続されている。また、同様に、エア供給配管６９の上流側端部についても２方に分岐されており、それら各分岐された分岐エア配管７０が各噴霧ノズル６６Ａ，６６Ｂにそれぞれ接続されている。なお、図７では、便宜上、水供給配管６７とエア供給配管６９とを共通の配管で図示しており、また各分岐水配管６８と各分岐エア配管７０とを共通の配管で図示している。
【００７５】
水供給配管６７とこれら各分岐水配管６８との接続部には、水切替バルブ７２が設けられている。水切替バルブ７２は、水供給配管６７に接続させる分岐水配管６８をいずれかに切り替えるものである。また、エア供給配管６９とこれら各分岐水配管６８との接続部には、エア切替バルブ７３が設けられている。エア切替バルブ７３は、エア供給配管６９に接続させる分岐エア配管７０をいずれかに切り替えるものである。これら各切替バルブ７２，７３はノズル支持部材６５の内部に設けられており、図７では便宜上これら各バルブ７２，７３を共通のもので図示している。
【００７６】
この場合、これら各切替バルブ７２，７３により接続切替を行うことで、一対の各噴霧ノズル６６Ａ，６６Ｂのうちいずれかから水を噴霧することができるため、水を噴霧するパネル面を表裏切り替えることができる。したがって、例えば風が強い場合には太陽光パネル１５の裏面に噴霧を行うことで噴霧した水が風により飛散するのを抑制したり、風が弱い場合又はない場合には太陽光パネル１５の表面に噴霧を行うことで太陽光を受光することにより比較的高温となっている表面側を冷却したりすることができる。つまり、この場合、風の強さ等の屋外条件に応じて適切な噴霧を行うことができる。
【００７７】
また、噴霧ノズル２１の噴出口２１ａの向きを上下に切り替え可能に構成することで、噴霧ノズル２１により水が噴霧される太陽光パネル１５のパネル面を表裏切り替えるようにしてもよい。
【００７８】
（７）上記実施形態では、太陽光パネル１５の表面温度に基づいて噴霧ノズル２１より噴霧される水の粒径を調整する構成としたが、これを変更してもよい。例えば、建物１０の屋根１２等に太陽光パネル１５周辺における風の向きを検知する風向検知センサを設け、この風向検知センサにより検知された風の向きに基づいて噴霧ノズル２１より噴霧される水の粒径を調整する構成としてもよい。具体的には、風向検知センサにより検知された風の向きが、太陽光パネル１５側から噴霧ノズル２１側に向かう風向きである場合に、噴霧ノズル２１より噴霧される水の粒径を大きくするよう調整することが考えられる。これにより、噴霧ノズル２１が風下側に位置する場合でも噴霧ノズル２１より噴霧された水を風に抗して太陽光パネル１５の広域に届かせることが可能となる。
【００７９】
また、建物１０の屋根１２等に太陽光パネル１５周辺における風の風量を検知する風量検知センサを設け、この風量検知センサにより検知された風量に基づいて噴霧ノズル２１より噴霧される水の粒径を調整する構成としてもよい。具体的には、風量検知センサにより検知された風量が大きいほど噴霧ノズル２１より噴霧される水の粒径を大きくするように調整することが考えられる。これにより、例えば水の噴霧方向に対し直交する方向に強風が吹いている場合でも、噴霧ノズル２１より噴霧される水の粒径を大きくすることで、噴霧した水が風により流されるのを抑制することができる。そのため、かかる場合でも噴霧ノズル２１より噴霧された水を太陽光パネル１５の広域に届かせることが可能となる。
【００８０】
さらに、建物１０に外気の湿度を検知する湿度検知センサを設け、湿度検知センサにより検知された湿度に基づいて噴霧ノズル２１より噴霧される水の粒径を調整する構成としてもよい。具体的には、湿度検知センサにより検知された湿度が高いほど水の粒径を小さくするよう水の粒径を調整することが考えられる。一般に湿度が高い状況では水が気化しにくいため噴霧した水の粒径が大きいと水が気化されず、その結果太陽光パネル１５の冷却効率が低下するおそれがある。その点、上記のように制御すれば、湿度が高い場合でも噴霧される水の粒子を小さくすることで水を気化し易くすることができるため、太陽光パネル１５の冷却効率の低下を抑制することができる。
【００８１】
（８）噴霧ノズル２１より水の噴霧が開始されてからの経過時間に応じて噴霧ノズル２１より噴霧される水の粒径を調整してもよい。例えば、水の噴霧が開始されてから時間が経過するにつれて水の粒径を小さくするよう調整することが考えられる。通常、水の噴霧が開始されてから時間が経過するにつれて太陽光パネル１５の温度は下降していく。そのため、噴霧開始後長時間が経過すると水が気化しにくくなり、その結果太陽光パネル１５の冷却効率が低下する。その点、上記のように粒径を調整すれば、噴霧が開始されてから長時間経過しても気化の促進を図ることができるため、冷却効率の低下を抑制することができる。
【００８２】
（９）建物１０に日射量を検知する日射量検知センサを設け、コントローラが、同センサにより検知された日射量に基づいて噴霧ノズル２１による噴霧を行うようにしてもよい。具体的には、コントローラが、同センサにより検知された日射量に基づいて太陽光パネル１５の温度上昇を予測し、太陽光パネル１５が所定温度以上になる前に予め噴霧ノズル２１による水の噴霧を行うよう制御することが考えられる。この場合、太陽光パネル１５の発電効率が低下する状況を未然に回避することが期待できる。なお、日射量検知センサに代えて又は加えて、外気温を検知する外気温検知センサを用いてもよい。この場合にも、外気温（又は、外気温及び日射量）に基づいて太陽光パネル１５の温度上昇を予測することができる。また、日射量センサ（又は外気温センサ）に代えて、インターネット等を通じて日射量（又は外気温）の情報を取得する構成としてもよい。
【００８３】
（１０）本太陽光パネル冷却装置２０は、強風の下で使用する際には、噴霧ノズル２１より噴霧された水が風により飛散し太陽光パネル１５に到達しないことが考えられる。この場合、噴霧された水が無駄となるため好ましくない。そこで、この点に鑑みて、建物１０に、太陽光パネル１５周辺における風量を検知する風量センサを設け、コントローラが、風量センサにより検知された風量が所定以上の風量になった場合にコンプレッサ２５の駆動を停止させるとともに開閉バルブ２３を閉状態とするよう制御してもよい。そうすれば、太陽光パネル１５周辺の風が強くなった場合には、噴霧ノズル２１による噴霧を停止させることができるため、無駄な噴霧を回避することができる。
【００８４】
（１１）図８に示すように、太陽光パネル１５の裏側に、太陽光パネル１５の熱を放出するための放熱板７１を設け、太陽光パネル１５に加えこの放熱板７１にも噴霧ノズル２１により霧状の水を噴霧するようにしてもよい。この場合、放熱板７１を冷却することによっても太陽光パネル１５を冷却することができるため、太陽光パネル１５の冷却効率を高めることができる。なお、放熱板７１に対してのみ水を噴霧し、太陽光パネル１５に対しては水を噴霧しない構成としてもよい。
【００８５】
（１２）上記実施形態では、屋根面１８から離間配置された太陽光パネル１５に対して本発明の太陽光パネル冷却装置を適用した場合について説明したが、本発明の太陽光パネル冷却装置を、脚部１６を介さずに屋根面１８に直置きされた太陽光パネル１５に対して適用してもよい。但しこの場合、太陽光パネル１５の裏面側に対して水を噴霧することができないので、太陽光パネル１５の表面に対して水を噴霧するように噴霧ノズル２１を設置する。
【００８６】
（１３）噴霧ノズル２１により太陽光パネル１５に水を噴霧するのに加え、洗浄液等水以外の液体を太陽光パネル１５に噴霧するようにしてもよい。例えば、太陽光パネル１５の表面に洗浄液を噴霧させる構成としては、建物本体１１の外壁面等に洗浄液が貯留された洗浄液タンクを設置するとともに、洗浄液タンクと水供給配管２２とを接続する分岐配管を設け、分岐配管及び水供給配管２２を通じて洗浄液タンク内の洗浄液を噴霧ノズル２１に供給する構成が考えられる。この場合、噴霧ノズル２１より洗浄液を太陽光パネル１５の表面に噴霧することができるため、同表面が汚れた場合に洗浄することができる。
【００８７】
（１４）上記実施形態では、噴霧ノズル２１から噴霧する水として水道水を用いたが、必ずしも水道水を用いる必要はない。例えば屋根１２上等に雨水を蓄えるタンクを設置しておき、タンクに蓄えられた雨水をポンプにより噴霧ノズル２１に供給する構成としてもよい。この場合、水道水を節約することができるため経済的である。
【００８８】
（１５）建物１０に太陽光パネル１５により発電した電力を蓄えるための蓄電池を設置し、この蓄電池に蓄えられた電力を用いて本太陽光パネル冷却装置２０（詳細には開閉バルブ２３及びコンプレッサ２５）を動作させてもよい。そうすれば、太陽光パネル１５を冷却するに際し省エネを図ることができる。
【００８９】
（１６）建物１０に、建物１０における電力使用量が所定量以上であるか否かを判定する電力量判定手段を設け、同判定手段による判定結果に基づいて、噴霧ノズル２１による水の噴霧を実施するようにしてもよい。これにより、建物１０における電力使用量が多い場合、つまり太陽光パネル１５の発電効率を高める必要性が高い場合には、噴霧ノズル２１による水の噴霧を実施したり、建物１０における電力使用量が少ない場合又はゼロの場合、つまり太陽光パネル１５の発電効率を高める必要性が低い場合には、噴霧ノズル２１による水の噴霧を停止したりする等することができる。つまり、発電効率を高める必要性が高い場合にのみ噴霧ノズル２１による水の噴霧を行うことで無駄に水を噴霧することを回避することができる。
【００９０】
ここで、電力量判定手段としては、建物１０内における人の存在の有無を検知する人検知センサを建物１０に設け、建物１０内の人の有無に基づいて電力使用量が所定量以上であるか否かを判定することが考えられる。一般に、建物１０内において人が不在の場合には建物１０における電力使用量が少なくなるか又はゼロになる一方、人が存在している場合には電力使用量が多くなることが想定される。そのため、かかる構成とすることで、電力使用量が所定量以上であるか否かを具体的に判定することができる。なお、人検知センサに代えて、建物１０内における人の生体情報（例えば人の体温や呼吸等）を検知する生体情報検知センサを用いて建物１０内の人の有無を検知するようにしてもよい。
【００９１】
また、電力量判定手段として、建物１０に屋内の温度を検知する屋内温検知センサを設け、屋内の温度に基づいて電力使用量が所定量以上であるか否かを判定する構成としてもよい。一般に太陽光パネル１５の発電効率が低下し易い夏場において、屋内の温度が比較的低い場合には屋内でエアコン（冷房）が運転されていることが想定される。したがって、この場合には電力使用量が増大することが考えられる。そのため、かかる構成とすることで、電力使用量が所定量以上であるか否かを具体的に判定することが可能となる。
【００９２】
さらに、この場合、建物１０に屋外の温度を検知する屋外温検知センサを設け、屋内の温度に加えて屋外の温度に基づいて電力使用量が所定量以上であるか否かを判定するようにしてもよい。具体的には、屋内の温度と屋外の温度とに基づいて両温度の温度差を算出し、その温度差に基づいて電力使用量が所定量以上であるか否かを判定することが考えられる。一般に屋内外の温度差が大きい場合には、屋内でエアコンの運転が行われ電力使用量が増大することが想定されるため、かかる構成とすることで電力使用量が所定量以上であるか否かを具体的に判定することが可能となる。
【００９３】
（１７）上記実施形態では、噴霧ノズル２１として二流体ノズルを採用し、水を圧縮空気と混合させることにより水を霧状とし噴霧する構成としたが、霧状の水を噴霧する構成は必ずしもこれに限定されない。例えば、噴霧ノズルとして一流体ノズルを用い、水をコンプレッサ等により高圧で噴霧ノズルに供給し同ノズルより噴射させることで霧状の水を噴霧する構成としてもよい。また、霧状の水を噴霧するために必ずしも噴霧ノズルを用いる必要はなく、噴霧ノズル以外のものを用いてもよい。例えば、微細な孔が多数形成された多孔質板を用い、同多孔質板の各孔から水を噴霧させるようにしてもよい。要は、霧状の水を噴霧することができれば如何なる構成でもよい。
【００９４】
（１８）上記実施形態では、パネル温検知センサ１７により太陽光パネル１５の表面温度を検知する構成としたが、太陽光パネル１５の内部温度や裏面温度を検知する構成としてもよい。
【００９５】
（１９）上記実施形態では、切妻式の屋根１２に設置された太陽光パネル１５に対して本発明を適用したが、寄棟式の屋根や陸屋根等その他の屋根に設置された太陽光パネル１５に対して本発明を適用してもよい。また、建物１０の外壁面等、建物１０の屋外側における屋根１２以外の場所に設置された太陽光パネル１５に対して本発明を適用してもよい。さらには、建物１０以外の場所、例えば地面等に設置された太陽光パネルに対して本発明を適用してもよい。
【符号の説明】
【００９６】
１０…建物、１２…屋根、１３…軒先、１５…太陽光パネル、１７…パネル温検知手段としてのパネル温検知センサ、１８…屋根面、２０…太陽光パネル冷却装置、２１…噴霧ノズル、２５…粒径調整手段としてのコンプレッサ、３０…噴霧制御手段及び粒径制御手段としてのコントローラ、６１…規制部材、７１…放熱部材としての放熱板。
【図１】
0005479851.tif 000002
【図２】
0005479851.tif 000003
【図３】
0005479851.tif 000004
【図４】
0005479851.tif 000005
【図５】
0005479851.tif 000006
【図６】
0005479851.tif 000007
【図７】
0005479851.tif 000008
【図８】
0005479851.tif 000009